(57)【要約】  バッテリーパックは、バッテリー、および前記バッテリーの充電量を検出し、前記バッテリーの充電量が第１臨界値より小さければ表記充電量を前記充電量に設定し、前記バッテリーの充電量が前記第１臨界値以上であれば前記表記充電量を下記数式１のように設定するバッテリー管理システムを含むことができる。［数式１］表記充電量＝実際充電量×補正率＝実際充電量×（１＋（（１００／第２臨界値）−１）／（第２臨界値−第１臨界値）×（実際充電量−第１臨界値）））上記数式１中、前記実際充電量は前記バッテリーの充電量である。
2021500847.tif 000002
【特許請求の範囲】
【請求項１】
バッテリー、および
前記バッテリーの充電量を検出し、前記バッテリーの充電量が第１臨界値より小さければ表記充電量を前記充電量に設定し、前記バッテリーの充電量が前記第１臨界値以上であれば前記表記充電量を下記数式１のように設定するバッテリー管理システムを含むバッテリーパック。
［数式１］
表記充電量＝実際充電量×補正率＝実際充電量×（１＋（（１００／第２臨界値）−１）／（第２臨界値−第１臨界値）×（実際充電量−第１臨界値）））
上記数式１中、前記実際充電量は、前記バッテリーの充電量である。
【請求項２】
前記バッテリー管理システムは、前記充電量が前記第２臨界値以上であれば、前記表記充電量を満充電状態に設定し、
前記第２臨界値は、前記第１臨界値より大きい、請求項１に記載のバッテリーパック。
【請求項３】
前記バッテリー管理システムは、前記充電量が第３臨界値以上であれば前記バッテリーが満充電条件を満足したと判断して、前記バッテリーに対する充電を禁止し、
前記第３臨界値は、前記第２臨界値より大きい、請求項２に記載のバッテリーパック。
【請求項４】
前記バッテリー管理システムは、前記充電量が前記第２臨界値に到達するまで前記バッテリーに対する充電を禁止し、前記充電量が前記第２臨界値に到達すれば前記バッテリーに対する充電を再開する、請求項３に記載のバッテリーパック。
【請求項５】
前記補正率は、前記充電量が増加するほど増加する、請求項１に記載のバッテリーパック。
【請求項６】
前記バッテリー管理システムは、前記第１臨界値または前記第２臨界値を前記バッテリーの劣化状態に応じて調整する、請求項１に記載のバッテリーパック。
【請求項７】
前記バッテリー管理システムは、前記バッテリーの劣化が進められるほど値が減少するように前記第１臨界値または前記第２臨界値を調整する、請求項６に記載のバッテリーパック。
【請求項８】
前記バッテリー管理システムは、前記第１臨界値または前記第２臨界値を前記バッテリーの温度に応じて調整する、請求項１に記載のバッテリーパック。
【請求項９】
前記バッテリー管理システムは、前記温度が増加するほど前記第１臨界値または前記第２臨界値を調整する、請求項８に記載のバッテリーパック。
【請求項１０】
前記バッテリー管理システムは、
電子機器に前記表記充電量に対応してバッテリー充電状態が表示されるように、前記表記充電量を前記電子機器の制御器に伝達する、請求項１に記載のバッテリーパック。
【請求項１１】
ディスプレイ、および
電子機器に搭載されるバッテリーパックから前記バッテリーパック内のバッテリーの充電量を受信し、前記バッテリーの充電量が第１臨界値より小さければ表記充電量を前記充電量に設定し、前記バッテリーの充電量が前記第１臨界値以上であれば前記表記充電量を下記数式２のように設定し、前記表記充電量に対応して前記ディスプレイにバッテリー充電状態を表示する制御器を含む電子機器。
［数式２］
表記充電量＝実際充電量×補正率＝実際充電量×（１＋（（１００／第２臨界値）−１）／（第２臨界値−第１臨界値）×（実際充電量−第１臨界値）））
上記数式２中、前記実際充電量は、前記バッテリーの充電量である。
【請求項１２】
前記制御器は、前記充電量が前記第２臨界値以上であれば、前記表記充電量を満充電状態に設定し、前記充電量が第３臨界値以上であれば前記バッテリーが満充電条件を満足したと判断して、前記バッテリーに対する充電を禁止し、
前記第２臨界値は前記第１臨界値より大きく、前記第３臨界値は前記第２臨界値より大きい、請求項１１に記載の電子機器。
【請求項１３】
前記バッテリーパックは、前記充電量が前記第２臨界値に到達するまで充電が禁止され、前記充電量が前記第２臨界値に到達すれば前記バッテリーに対する充電が再開される、請求項１２に記載の電子機器。
【請求項１４】
前記補正率は、前記充電量が増加するほど増加する、請求項１１に記載の電子機器。
【請求項１５】
前記制御器は、前記バッテリーの劣化状態および前記バッテリーの温度のうちの少なくとも一つに基づいて、前記第１臨界値または前記第２臨界値を調整する、請求項１１に記載の電子機器。
【請求項１６】
電子機器のバッテリー充電量表示方法において、
前記電子機器に搭載されるバッテリーの充電量を検出する段階、
前記バッテリーの充電量が第１臨界値より小さければ表記充電量を前記充電量に設定する段階、
前記バッテリーの充電量が前記第１臨界値以上であれば前記表記充電量を下記数式３のように設定する段階、
前記表記充電量に対応してバッテリーの充電状態を画面に表示する段階を含むバッテリー充電量表示方法。
［数式３］
表記充電量＝実際充電量×補正率＝実際充電量×（１＋（（１００／第２臨界値）−１）／（第２臨界値−第１臨界値）×（実際充電量−第１臨界値）））
上記数式３中、前記実際充電量は前記バッテリーの充電量である。
【請求項１７】
前記充電量が前記第２臨界値以上であれば、前記表記充電量を満充電状態に設定する段階をさらに含み、
前記第２臨界値は、前記第１臨界値より大きい、請求項１６に記載のバッテリー充電量表示方法。
【請求項１８】
前記充電量が第３臨界値以上であれば前記バッテリーが満充電条件を満足したと判断して、前記充電量が前記第２臨界値に到達するまで前記バッテリーに対する充電が禁止される段階、および
前記充電量が次第に減少して前記第２臨界値に到達すれば、前記バッテリーに対する充電を再開する段階をさらに含み、
前記第３臨界値は、前記第２臨界値より大きい、請求項１７に記載のバッテリー充電量表示方法。
【請求項１９】
前記バッテリーの劣化状態および温度のうちの少なくとも一つに基づいて、前記第１臨界値または前記第２臨界値を調整する段階をさらに含む、請求項１６に記載のバッテリー充電量表示方法。
【請求項２０】
前記調整する段階は、
前記バッテリーの劣化が進められるほどまたは前記温度が増加するほど、前記第１臨界値または前記第２臨界値を減少させる段階を含む、請求項１９に記載のバッテリー充電量表示方法。
【発明の詳細な説明】
【技術分野】
【０００１】
実施形態は、バッテリー充電量表示方法並びにこれを行うバッテリーパックおよび電子機器に関するものである。
【背景技術】
【０００２】
二次電池（ｓｅｃｏｎｄａｒｙ  ｃｅｌｌ）は、充電と放電を交互に繰り返すことができる電池をいう。二次電池は、化学的（ｃｈｅｍｉｃａｌ）エネルギーを電気的（ｅｌｅｃｔｒｉｃａｌ）エネルギーに変換させて放電することができ、逆に放電された状態で電気エネルギーを充電すればこれを化学エネルギーの形態として再び貯蔵することができる。
【０００３】
二次電池はその充放電回路と結合してバッテリーパックとして構成され、バッテリーパックに備えられたパック端子を通じて外部電源による充電と外部負荷への放電が行われる。
【０００４】
二次電池から構成されたバッテリーパックを使用する製品の相当数はバッテリーの残余充電量を１％単位で０％〜１００％範囲内で表示したりもする。通常このような製品はバッテリーの充電状態が所定の条件を満足すれば、過充電防止のために充電を遮断しバッテリーの残余充電量を１００％と表示する。そして、以後バッテリーパックの充電量が一定水準（例えば、９６％）以下に低くなれば充電が再開される。したがって、充電器が連結されている状態で製品を長時間使用する場合、満充電で充電が禁止された状態で二次電池の自己放電特性とバッテリーパックに内蔵されている保護回路の消費電流によってバッテリーの充電量が減少し、充電が再び再開されるまで充電量が減少されて表示されたりもする。
【０００５】
したがって、使用者は充電器が連結されているにもかかわらずバッテリー充電量が徐々に減って１００％まで充電されない経験をするようになり、これによって充電器や製品の故障を疑ったりもする。
【発明の概要】
【発明が解決しようとする課題】
【０００６】
実施形態を通じて解決しようとする技術的課題は、満充電以後の充電禁止区間によって使用者が充電器や製品の故障を疑うようになる状況を解消し、使用者の体感充電速度を向上させたバッテリー充電量表示方法およびこれを行うバッテリーパックおよび電子機器を提供することである。
【課題を解決するための手段】
【０００７】
上記課題を解決するための実施形態によるバッテリーパックは、バッテリー、およびバッテリーの充電量を検出し、バッテリーの充電量が第１臨界値より小さければ表記充電量を充電量に設定し、バッテリーの充電量が第１臨界値以上であれば表記充電量を下記数式１のように設定するバッテリー管理システムを含むことができる。
［数式１］
表記充電量＝実際充電量×補正率＝実際充電量×（１＋（（１００／第２臨界値）−１）／（第２臨界値−第１臨界値）×（実際充電量−第１臨界値）））
上記数式１中、実際充電量は、バッテリーの充電量である。
【０００８】
バッテリー管理システムは、充電量が第２臨界値以上であれば、表記充電量を満充電状態に設定し、第２臨界値は第１臨界値より大きくてもよい。
【０００９】
バッテリー管理システムは、充電量が第３臨界値以上であればバッテリーが満充電条件を満足したと判断して、バッテリーに対する充電を禁止し、第３臨界値は第２臨界値より大きくてもよい。
【００１０】
バッテリー管理システムは、充電量が第２臨界値に到達するまでバッテリーに対する充電を禁止し、充電量が第２臨界値に到達すればバッテリーに対する充電を再開することができる。
【００１１】
補正率は、充電量が増加するほど増加できる。
【００１２】
バッテリー管理システムは、第１臨界値または第２臨界値をバッテリーの劣化状態に応じて調整することができる。
【００１３】
バッテリー管理システムは、バッテリーの劣化が進められるほど値が減少するように第１臨界値または第２臨界値を調整することができる。
【００１４】
バッテリー管理システムは、第１臨界値または第２臨界値をバッテリーの温度に応じて調整することができる。
【００１５】
バッテリー管理システムは、温度が増加するほど第１臨界値または第２臨界値を調整することができる。
【００１６】
バッテリー管理システムは、電子機器に表記充電量に対応してバッテリー充電状態が表示されるように、表記充電量を電子機器の制御器に伝達することができる。
【００１７】
また、実施形態による電子機器は、ディスプレイ、および電子機器に搭載されるバッテリーパックからバッテリーパック内のバッテリーの充電量を受信し、バッテリーの充電量が第１臨界値より小さければ表記充電量を充電量に設定し、バッテリーの充電量が第１臨界値以上であれば表記充電量を下記数式２のように設定し、表記充電量に対応してディスプレイにバッテリー充電状態を表示する制御器を含むことができる。
［数式２］
表記充電量＝実際充電量×補正率＝実際充電量×（１＋（（１００／第２臨界値）−１）／（第２臨界値−第１臨界値）×（実際充電量−第１臨界値）））
上記数式２中、実際充電量は、バッテリーの充電量である。
【００１８】
制御器は、充電量が第２臨界値以上であれば、表記充電量を満充電状態に設定し、充電量が第３臨界値以上であればバッテリーが満充電条件を満足したと判断して、バッテリーに対する充電を禁止し、第２臨界値は第１臨界値より大きく、第３臨界値は第２臨界値より大きくてもよい。
【００１９】
バッテリーパックは、充電量が第２臨界値に到達するまで充電が禁止され、充電量が第２臨界値に到達すればバッテリーに対する充電が再開できる。
【００２０】
制御器は、バッテリーの劣化状態およびバッテリーの温度のうちの少なくとも一つに基づいて、第１臨界値または第２臨界値を調整することができる。
【００２１】
また、実施形態による電子機器のバッテリー充電量表示方法は、電子機器に搭載されるバッテリーの充電量を検出する段階、バッテリーの充電量が第１臨界値より小さければ表記充電量を充電量に設定する段階、バッテリーの充電量が第１臨界値以上であれば表記充電量を下記数式３のように設定する段階、および表記充電量に対応してバッテリーの充電状態を画面に表示する段階を含むことができる。
［数式３］
表記充電量＝実際充電量×補正率＝実際充電量×（１＋（（１００／第２臨界値）−１）／（第２臨界値−第１臨界値）×（実際充電量−第１臨界値）））
上記数式３中、実際充電量は、バッテリーの充電量である。
【００２２】
バッテリー充電量表示方法は、充電量が第２臨界値以上であれば、表記充電量を満充電状態に設定する段階をさらに含み、第２臨界値は第１臨界値より大きくてもよい。
【００２３】
バッテリー充電量表示方法は、充電量が第３臨界値以上であればバッテリーが満充電条件を満足したと判断して、充電量が第２臨界値に到達するまでバッテリーに対する充電が禁止される段階、および充電量が次第に減少して第２臨界値に到達すれば、バッテリーに対する充電を再開する段階をさらに含み、第３臨界値は第２臨界値より大きくてもよい。
【００２４】
バッテリー充電量表示方法は、バッテリーの劣化状態および温度のうちの少なくとも一つに基づいて、第１臨界値または第２臨界値を調整する段階をさらに含むことができる。
【００２５】
調整する段階は、バッテリーの劣化が進められるほどまたは温度が増加するほど、第１臨界値または第２臨界値を減少させる段階を含むことができる。
【発明の効果】
【００２６】
実施形態によれば、バッテリーの満充電以後の充電禁止区間によって使用者が充電器や製品の故障を疑うようになる状況を解消し、使用者の体感充電速度を向上させることができる。
【図面の簡単な説明】
【００２７】
【図１】実施形態による電子機器を概略的に示したものである。
【図２】実施形態による電子機器でのバッテリーの実際充電量、表記充電量および補正率の相関関係を示したものである。
【図３】実施形態によるバッテリー管理システムの充電制御方法を概略的に示したものである。
【図４】実施形態による電子機器で表示される表記充電量と実際バッテリーの充電量との関係を概略的に示したものである。
【図５】実施形態による電子機器の充電量表示方法を概略的に示したものである。
【発明を実施するための形態】
【００２８】
以下、添付した図面を参考にして様々な実施形態について技術分野における通常の知識を有する者が容易に実施できるように詳しく説明する。実施形態は様々な異なる形態に実現でき、ここで説明する実施形態に限定されない。
【００２９】
実施形態を明確に説明するために説明上不必要な部分は省略し、明細書全体にわたって同一または類似の構成要素については同一な参照番号を付けるようにする。したがって、以前の図面に使用された構成要素の参照番号を次の図面で使用することができる。
【００３０】
また、図面に示された各構成の大きさおよび厚さは説明の便宜のために任意に示したので、実施形態は必ずしも示されたところに限定されない。図面で様々な層および領域を明確に表現するために厚さおよび領域を誇張して示すことができる。
【００３１】
２個の構成要素を電気的に連結するということは、２個の構成要素を直接（ｄｉｒｅｃｔｌｙ）連結する場合だけでなく、２個の構成要素の間に他の構成要素を経て連結する場合も含む。他の構成要素は、スイッチ、抵抗、キャパシタなどを含むことができる。実施形態を説明することにおいて連結するという表現は、直接連結するという表現がない場合には、電気的に連結するということを意味する。
【００３２】
以下、必要な図面を参照して実施形態によるバッテリー充電量表示方法およびこれを行うバッテリーパックおよび電子機器について詳しく説明する。
【００３３】
図１は、実施形態による電子機器を概略的に示したものである。図２は、実施形態による電子機器でのバッテリーの実際充電量、表記充電量および補正率の相関関係を示したものである。
【００３４】
図１に示すように、実施形態による電子機器１０は、バッテリーパック１１、制御器１２およびディスプレイ１３を含むことができる。
【００３５】
バッテリーパック１１は、互いに直列または並列連結される少なくとも一つのセルから構成されるバッテリー１１１と、バッテリー管理システム（Ｂａｔｔｅｒｙ  Ｍａｎａｇｅｍｅｎｔ  Ｓｙｓｔｅｍ）１１２を含むことができる。本明細書で‘セル（ｃｅｌｌ）’はそれぞれの二次電池（ｓｅｃｏｎｄａｒｙ  ｃｅｌｌ）を示し、‘バッテリー（ｂａｔｔｅｒｙ）’は少なくとも一つのセルが直列または並列結合されてモジュール化されたものを示す。
【００３６】
一方、図１ではＢＭＳ１１２がバッテリーパック１１内部に位置する場合を例として挙げて示すが、本発明がこれで限定されるのではなく、ＢＭＳ１１２はバッテリーパック１１外部、例えば、電子機器１０の制御器１２内に配置されてもよい。
【００３７】
ＢＭＳ１１２は、電圧センサー（図示せず）、電流センサー（図示せず）、温度センサー（図示せず）などを通じてバッテリー１１１の電圧、電流、温度などバッテリー１１１の状態と関連する情報を持続的に検出し、これに基づいてバッテリー１１１の充電量（Ｃｈａｒｇｅ  Ｃａｐａｃｉｔｙ）を獲得することができる。
【００３８】
ＢＭＳ１１２は、電子機器１０のディスプレイ１３を通じて表示されるバッテリー充電状態（以下、‘表記充電量’と命名して使用する）を設定することもできる。
【００３９】
ＢＭＳ１１２は、バッテリー１１１の充電量が第１臨界値未満であれば、バッテリー１１１の表記充電量を下記数式１のように設定することができる。
［数式１］
表記充電量＝実際充電量
【００４０】
上記数式１を参照すれば、ＢＭＳ１１２は、バッテリー１１１の充電量が第１臨界値未満であれば、電子機器１０のディスプレイ１３に表示される表記充電量が、バッテリー１１１の実際充電量と同じように表記充電量を設定することができる。
【００４１】
ＢＭＳ１１２は、バッテリー１１１の充電量（実際充電量）が第１臨界値以上であり、第２臨界値より小さければ、バッテリー１１１の表記充電量を下記数式２のように設定することができる。
［数式２］
表記充電量＝実際充電量×補正率
【００４２】
上記数式２中、補正率は、下記数式３のように示すことができる。
［数式３］
補正率＝１＋（（１００／第２臨界値）−１）／（第２臨界値−第１臨界値）×（実際充電量−第１臨界値））
【００４３】
上記数式２および３を参照すれば、補正率は、図２に示されているように、バッテリー１１１の実際充電量が第１臨界値（例えば、５０％）に到達するまでは１を維持し、バッテリー１１１の実際充電量が第１臨界値を超えればバッテリー１１１の充電量が大きくなるほど増加するように設定される。例えば、実際充電率が６０％である場合の補正率は大略１．０１であり、実際充電率が９０％である場合の補正率は大略１．０３６になる。
【００４４】
ＢＭＳ１１２は、バッテリー１１１の充電量（実際充電量）が第２臨界値以上であれば、バッテリー１１１の表記充電量を満充電状態に該当する１００％に設定することができる。
【００４５】
ＢＭＳ１１２は、バッテリー１１１の充電量に基づいてバッテリー１１１の充／放電を制御することもできる。
【００４６】
ＢＭＳ１１２は、バッテリー１１１の充電中にバッテリー１１１の充電量が満充電条件を満足すればバッテリー１１１の充電を中断させることができる。ＢＭＳ１１２は、バッテリー１１１の充電量が第３臨界値以上であれば、バッテリー１１１の充電量が満充電条件を満足したと判断することができる。
【００４７】
充電禁止状態が持続されれば、バッテリー１１１の自己放電特性とバッテリーパック１１に内蔵されている保護回路（図示せず）の消費電流によって、充電器が連結されている状態でもバッテリー１１１の充電量が減少するようになる。
【００４８】
ＢＭＳ１１２は、満充電の検出によってバッテリー１１１の充電が禁止された状態で、バッテリー１１１の充電量が補充電開始条件を満足すれば、バッテリー１１１の充電を再開（または許可）することができる。ＢＭＳ１１２は、満充電によってバッテリー１１１の充電が禁止された状態で、バッテリー１１１の充電量が第２臨界値以下に低くなれば、バッテリー１１１の充電量が補充電開始条件を満足したと判断することができる。
【００４９】
実施形態によれば、第１臨界値は第２および第３臨界値より低く設定され、第２臨界値は第３臨界値より低く設定されてもよい。例えば、バッテリー１１１のフル充電時の充電量を１００％という時、第１、第２および第３臨界値はそれぞれ５０％、９６％、および９９％に設定されてもよい。
【００５０】
第１、第２および第３臨界値は、バッテリー１１１状態によってその値が変更されてもよい。
【００５１】
例えば、ＢＭＳ１１２は、バッテリー１１１の電流、電圧、温度などを持続的にモニタリングしてバッテリー１１１の劣化状態を獲得し、これに基づいて第１、第２および第３臨界値のうちの少なくとも一つの値を変更することができる。この場合、ＢＭＳ１１２はバッテリー１１１が劣化するほど値が減少するように第１、第２および第３臨界値のうちの少なくとも一つを制御することができる。
【００５２】
また、例えば、ＢＭＳ１１２は、バッテリー１１１の温度に応じて第１、第２および第３臨界値のうちの少なくとも一つの値を変更することもできる。バッテリー１１１の充電量は、バッテリー１１１の実際充電状態が同一であってもバッテリー１１１の温度（バッテリー温度または周辺温度）によって異なって推定されることがある。したがって、ＢＭＳ１１２は、バッテリー１１１の現在温度が高いほど値が減少するように第１、第２および第３臨界値のうちの少なくとも一つを制御することができる。
【００５３】
ＢＭＳ１１２は、電子機器１０の制御器１２と互いに通信可能である。例えば、ＢＭＳ１１２は、バッテリー１１１の実際充電量と表記充電量を制御器１２に伝送することができる。
【００５４】
制御器１２は、ＢＭＳ１１２から表記充電量が受信されれば、これに基づいて、バッテリー充電状態をディスプレイ１３を通じて表示することができる。
【００５５】
一方、本明細書ではバッテリー１１１の充電量に基づいて表記充電量を設定する機能がＢＭＳ１１２によって行われる場合を例として挙げて説明したが、本発明がこれで限定されるのではなく、前述のようにバッテリー１１１の充電量に基づいて表記充電量を設定する機能は電子機器１０の制御器１２によって行われてもよい。この場合、電子機器１０は、ＢＭＳ１１２からバッテリー１１１の実際充電量を受信し、これに基づいて表記充電量を算出することができる。
【００５６】
図３は、実施形態によるバッテリーパックの充電制御方法を概略的に示したものである。
【００５７】
図３に示すように、実施形態によるＢＭＳ１１２は、バッテリー１１１に充電器（図示せず）が連結されることによってバッテリー１１１に対する充電を開始する（Ｓ１０１、図４のｔ０地点参照）。
【００５８】
ＢＭＳ１１２は、充電が持続される間に充放電制御のためにバッテリー１１１の電圧、電流、温度などを持続的に検出し、これらに基づいてバッテリー１１１の充電量を推定する。
【００５９】
ＢＭＳ１１２は、充電中にバッテリー１１１が満充電条件を満足すれば、即ち、バッテリー１１１の充電量が第３臨界値に到達すれば（Ｓ１０２）、バッテリー１１１の過充電を防止するために充電を禁止する（Ｓ１０３、図４のｔ２−ｔ３区間参照）。
【００６０】
充電禁止状態が持続されれば、バッテリー１１１の自己放電特性とバッテリーパック１１に内蔵されている保護回路（図示せず）の消費電流によって、充電器が連結されている状態でもバッテリー１１１の充電量が減少するようになる。
【００６１】
ＢＭＳ１１２は、バッテリー１１１が満充電状態と判断されて充電が禁止された状態で、バッテリー１１１が補充電条件を満足すれば、即ち、バッテリー１１１の充電量が第２臨界値以下に低くなれば（Ｓ１０４）、バッテリー１１１の充電を再開する（Ｓ１０５、図４のｔ３地点参照）。
【００６２】
ＢＭＳ１１２は、充電器がバッテリーパック１１と分離されるまで（Ｓ１０６）、Ｓ１０２〜Ｓ１０５段階を通じて充電、充電禁止と、充電再開を反復的に行って、充電器がバッテリーパック１１から完全に分離されれば、バッテリー１１１に対する充電を終了する（Ｓ１０７）。
【００６３】
図５は、実施形態による電子機器のバッテリー充電量表示方法を概略的に示したものである。
【００６４】
図５に示すように、実施形態によるＢＭＳ１１２は、バッテリー１１１に充電器（図示せず）が連結されることによってバッテリー１１１に対する充電を開始する（Ｓ２０１、図４のｔ０地点参照）。
【００６５】
ＢＭＳ１１２は、充電が持続される間に充放電制御のためにバッテリー１１１の電圧、電流、温度などを持続的に検出し、これらに基づいてバッテリー１１１の充電量を推定する。
【００６６】
ＢＭＳ１１２は、バッテリー１１１の充電量が第１臨界値より小さければ（Ｓ２０２）、バッテリー１１１の表示充電量を実際推定量に設定する（Ｓ２０３）。
【００６７】
反面、ＢＭＳ１１２は、バッテリー１１１の充電量が第１臨界値以上であり、第２臨界値より小さければ（Ｓ２０４）、数式２および３のように、バッテリー１１１の充電量に補正率を適用して表記充電量を設定する（Ｓ２０５、図４のｔ０−ｔ１区間）。
【００６８】
そして、バッテリー１１１の充電量が第２臨界値以上である区間では、表記充電量を満充電状態、例えば、１００％に設定する（Ｓ２０６、図４のｔ１以後区間）。
【００６９】
前述のように設定された表示充電量は、バッテリー１１１の実際充電量と共に電子機器１０の制御器１２に伝達される。
【００７０】
ＢＭＳ１１２からこれを受信した制御器１２は、バッテリー１１１の表記充電量に基づいて、バッテリー充電状態をディスプレイ１３を通じて電子機器１０の画面に表示する（Ｓ２０７）。
【００７１】
前述の実施形態によれば、電子機器はバッテリーが満充電条件を満足して充電が禁止された状態で、バッテリーの自己放電特性および保護回路の電力消耗によってバッテリーの充電量が減少しても、バッテリーの充電量を満充電状態と表示する。これにより、充電器が連結された状態でも表記される充電量が減少して、使用者が充電器や製品の故障を疑うようになる状況を解消することができる。
【００７２】
また、実施形態によれば、電子機器はバッテリーが満充電条件を満足する前に、表記充電量を予め満充電状態と表示することによって、使用者の体感充電速度を向上させることができる。また、満充電検出時の充電量計算誤差によって、バッテリーが満充電状態を逸脱した時、バッテリーの充電量が一度に大幅に補正される状況を使用者から隠す機能を有して、使用者が感じる製品信頼度を向上させる効果がある。
【００７３】
以上で参照した図面と記載された発明の詳細な説明は単に本発明の例示的なものであって、これは単に本発明を説明するための目的で使用されたものであって、意味限定や特許請求の範囲に記載された本発明の範囲を制限するために使用されたものではない。したがって、本技術分野の通常の知識を有する者であればこれから多様な変形および均等な他実施例が可能であるという点を理解するはずである。したがって、本発明の真の技術的保護範囲は添付された特許請求の範囲の技術的な思想によって決められなければならない。
【符号の説明】
【００７４】
１０：電子機器
１１：バッテリーパック
１２：制御器
１３：ディスプレイ
１１１：バッテリー
１１２：バッテリー管理システム
【図１】
2021500847.tif 000003
【図２】
2021500847.tif 000004
【図３】
2021500847.tif 000005
【図４】
2021500847.tif 000006
【図５】
2021500847.tif 000007
【国際調査報告】
2021500847.tif 000008
2021500847.tif 000009
2021500847.tif 000010
2021500847.tif 000011